(57)【特許請求の範囲】
【請求項１】
外装ケースで覆われた室外ユニットに、ユニット間配管およびユニット間電線を介して、室内ユニットが複数接続可能なマルチ型の空気調和装置において、
前記室外ユニットには、ユニット間配管が接続されるサービスバルブおよび、ユニット間電線が接続される接続ターミナルが設けられ、
前記外装ケースの一面には、接続ターミナルにユニット間電線を接続するための電線接続用開口が形成され、この電線接続用開口の下側に、サービスバルブにユニット間配管を接続するための配管接続用開口が形成されており、
この電線接続用開口および配管接続用開口の両者を覆う一体の保護カバーが設けられ、
この保護カバーは外側に膨出して、内部にユニット間電線およびユニット間配管が配設される内部空間が形成され、この内部空間の側部からユニット間電線およびユニット間配管を外部へ導出する導出用開口が形成され、
この導出用開口は上下方向に縦長で、下部には１個の室内ユニットを接続するためのユニット間配管およびユニット間電線を導き出す第１開口部が形成され、
この第１開口部の上側には、別の各室内ユニットを接続するためのユニット間配管およびユニット間電線を導き出す各室内ユニット用開口部が配置され、この各室内ユニット用開口部には各々この開口を塞ぐ覆板が設けられ、この覆板は保護カバーの本体に間隔を有して配置されているとともに、覆板と保護カバーの本体との間の隙間の一部が連結部で連結されて一体に形成され、かつ、覆板の上辺および下辺は、室外ユニット本体から遠ざかる程下側となるように湾曲しており、
前記覆板の周縁には、前記連結部として、保護カバー本体側の辺の下端部と保護カバー本体とを連結する第１連結部、上辺の保護カバー本体側の端部付近と上側の覆板または保護カバー本体とを連結する第２連結部、および、上辺の室外ユニット側の端部と上側の覆板または保護カバー本体とを連結する第３連結部が設けられており、
最上段の覆板は、第１連結部で保護カバー本体側の辺の下端部が保護カバー本体と連結され、第２連結部で上辺の保護カバー本体側の端部付近が保護カバー本体と連結され、第３連結部で上辺の室外ユニット側の端部が保護カバー本体と連結されるとともに、下辺の下端部および室外ユニット側の端部が、下側の覆板の第２連結部および第３連結部である連結部で下側の覆板と連結されており、
最下段の覆板の周縁部には、連結部が３個設けられ、第１連結部は保護カバー本体側の辺の下端部と保護カバー本体とを連結し、第２連結部は、上辺の保護カバー本体側の端部付近と上側の覆板とを連結し、第３連結部は、上辺の室外ユニット側の端部と上側の覆板とを連結しており、最下段の覆板の第１連結部が切断されると、上側の覆板が取り外された際にこの上側の覆板と一体に取り外し可能となっていることを特徴とする空気調和装置。
【請求項２】
前記保護カバーから室外ユニット側にドレン案内部が突出して形成され、
室外ユニット本体には、保護カバーのドレン案内部が嵌まり込む嵌合孔が形成されていることを特徴とする請求項１記載の空気調和装置。
【請求項３】
前記保護カバーのドレン案内部には、ドレンの流れるドレン溝が形成されており、このドレン溝にはリブがドレンの流れる方向に沿って形成され、ドレン溝を２個のドレン流れ部に仕切っていることを特徴とする請求項２記載の空気調和装置。
【請求項４】
前記保護カバーを室外ユニットに取り付けるためのビス用孔は、保護カバーの中央部よりも導出用開口側に偏って配置されていることを特徴とする請求項１，２または３記載の空気調和装置。
【発明の詳細な説明】
【技術分野】
【０００１】
本発明は、外装ケースで覆われた室外ユニットに、ユニット間配管およびユニット間電線を介して、室内ユニットが複数接続可能なマルチ型の空気調和装置に関する。
【背景技術】
【０００２】
従来、この種の空気調和装置（たとえば、特許文献１参照）では、室外ユニットの外装ケースの電線接続用開口および配管接続用開口を覆う保護カバーが設けられている。
【特許文献１】特開平５−１３３５７１号公報（特許第３０９４５７８号）
【発明の開示】
【発明が解決しようとする課題】
【０００３】
上記特許文献１の空気調和装置は、室内ユニットが１個接続されるシングル型であり、ユニット間電線およびユニット間配管を導き出すための保護カバーの導出部の開口は、１個の室内ユニットが接続可能な大きさである。
ところで、マルチ型の空気調和装置では、複数の室内ユニットが接続可能なように、保護カバーの導出用開口も、複数個の室内ユニットが接続可能な大きさが必要となる。しかしながら、室外ユニットに、必ずしも、接続可能な室内ユニットの最大許容数の数の室内ユニットが接続されるとは限らない。そして、最大許容数未満の室内ユニットが接続される場合には、導出用開口の一部が大きく開いたままになる。
【０００４】
そこで、接続される室内ユニットの数に合わせて、導出用開口の一部を覆板で塞ぐ必要がある。しかしながら、この覆板をビスなどで取り付けると、覆板の取付作業に手間がかかるとともに、見栄えが悪くなることがある。
【０００５】
解決しようとする問題点は、接続される室内ユニットの数に合わせて、室外ユニットの保護カバーの導出用開口の大きさを簡単に、かつ、見栄え良く変更することができないことである。
【課題を解決するための手段】
【０００６】
本発明の空気調和装置は、外装ケース（２）で覆われた室外ユニット（１）に、ユニット間配管（１５，２０）およびユニット間電線（４１）を介して、室内ユニット（１８ａ〜１８ｄ）が複数接続可能なマルチ型の空気調和装置である。そして、室外ユニットには、ユニット間配管が接続されるサービスバルブ（１７ａ〜１７ｄ，１９ａ〜１９ｄ）および、ユニット間電線が接続される接続ターミナル（４２）が設けられ、
前記外装ケースの一面には、接続ターミナルにユニット間電線を接続するための電線接続用開口（５１）が形成され、この電線接続用開口の下側に、サービスバルブにユニット間配管を接続するための配管接続用開口（５２）が形成されており、
この電線接続用開口および配管接続用開口の両者を覆う一体の保護カバー（３）が設けられ、
この保護カバーは外側に膨出して、内部にユニット間電線およびユニット間配管が配設される内部空間（６１）が形成され、この内部空間の側部からユニット間電線およびユニット間配管を外部へ導出する導出用開口（７６）が形成され、
この導出用開口は上下方向に縦長で、下部には１個の室内ユニットを接続するためのユニット間配管およびユニット間電線を導き出す第１開口部（７６ａ）が形成され、
この第１開口部の上側には、別の各室内ユニットを接続するためのユニット間配管およびユニット間電線を導き出す各室内ユニット用開口部（７６ｂ〜７６ｄ）が配置され、この各室内ユニット用開口部には各々この開口を塞ぐ覆板（７８）が設けられ、この覆板は保護カバーの本体に間隔を有して配置されているとともに、覆板と保護カバーの本体との間の隙間の一部が連結部（８１）で連結されて一体に形成され、かつ、覆板の上辺および下辺は、室外ユニット本体から遠ざかる程下側となるように湾曲している。
【０００７】
また、覆板の周縁には、前記連結部として、保護カバー本体側の辺の下端部と保護カバー本体とを連結する第１連結部、上辺の保護カバー本体側の端部付近と上側の覆板または保護カバー本体とを連結する第２連結部、および、上辺の室外ユニット側の端部と上側の覆板または保護カバー本体とを連結する第３連結部が設けられており、最上段の覆板は、第１連結部で保護カバー本体側の辺の下端部が保護カバー本体と連結され、第２連結部で上辺の保護カバー本体側の端部付近が保護カバー本体と連結され、第３連結部で上辺の室外ユニット側の端部が保護カバー本体と連結されるとともに、下辺の下端部および室外ユニット側の端部が、下側の覆板の第２連結部および第３連結部である連結部で下側の覆板と連結されており、最下段の覆板の周縁部には、連結部が３個設けられ、第１連結部は保護カバー本体側の辺の下端部と保護カバー本体とを連結し、第２連結部は、上辺の保護カバー本体側の端部付近と上側の覆板とを連結し、第３連結部は、上辺の室外ユニット側の端部と上側の覆板とを連結しており、最下段の覆板の第１連結部が切断されると、上側の覆板が取り外された際にこの上側の覆板と一体に取り外し可能となっている。
【０００８】
さらに、保護カバーから室外ユニット側にドレン案内部（７１）が突出して形成され、室外ユニット本体には、保護カバーのドレン案内部が嵌まり込む嵌合孔（７３）が形成されていることがある。
【０００９】
そして、保護カバーのドレン案内部には、ドレンの流れるドレン溝が形成されており、このドレン溝にはリブ（７２）がドレンの流れる方向に沿って形成され、ドレン溝を２個のドレン流れ部に仕切っていることがある。
【００１０】
また、保護カバーを室外ユニットに取り付けるためのビス用の孔（８６）は、保護カバーの中央部よりも導出用開口側に偏って配置されていることがある。
【発明の効果】
【００１１】
本発明によれば、保護カバーには、ユニット間電線およびユニット間配管を外部へ導出する導出用開口が形成され、この導出用開口は上下方向に縦長で、下部には１個の室内ユニットを接続するためのユニット間配管およびユニット間電線を導き出す第１開口部が形成され、この第１開口部の上側には、別の各室内ユニットを接続するためのユニット間配管およびユニット間電線を導き出す各室内ユニット用開口部が配置され、この各室内ユニット用開口部には各々この開口を塞ぐ覆板が設けられ、この覆板は保護カバーの本体に間隔を有して配置されているとともに、覆板と保護カバーの本体との間の隙間の一部が連結部で連結されて一体に形成され、かつ、覆板の上辺および下辺は、室外ユニット本体から遠ざかる程下側となるように湾曲している。したがって、室外ユニットに１個の室内ユニットのみを接続する際には、覆板を取り外さないで保護カバーを取り付けることができる。一方、室外ユニットに複数個の室内ユニットを接続する際には、ニッパなどで連結部を切断して必要な覆板を取り外した後に保護カバーを取り付けることができる。保護カバーの導出用開口の開放部分の大きさの変更を、ビス止め作業などをせずに行うことができるので、保護カバーの取付作業の手間が掛からなくなる。また、覆板の上辺および下辺は、室外ユニット本体から遠ざかる程下側となるように湾曲しているので、覆板を取り外した後の見栄えが良好であるとともに、保護カバーを室外ユニット本体に取り付けた際に、ユニット間配管およびユニット間電線を導出用開口に極力隙間なく配置することができ、雨水などの浸入を防止することができる。
【００１２】
また、覆板の周縁には、連結部として、保護カバー本体側の辺の下端部と保護カバー本体とを連結する第１連結部、上辺の保護カバー本体側の端部付近と上側の覆板または保護カバー本体とを連結する第２連結部、および、上辺の室外ユニット側の端部と上側の覆板または保護カバー本体とを連結する第３連結部が設けられている場合には、覆板を取り外す際に切断しなければならない連結部の個数を極力少なくすることができるとともに、保護カバー本体と覆板とを一体成形する際に樹脂などを成形型に円滑に流すことができる。
【００１３】
さらに、保護カバーから室外ユニット側にドレン案内部が突出して形成され、室外ユニット本体には、保護カバーのドレン案内部が嵌まり込む嵌合孔が形成されている場合には、ドレン案内部を、保護カバーを室外ユニット本体に取り付ける際の保護カバーの位置決めに利用することができる。
【００１４】
そして、保護カバーのドレン案内部には、ドレンの流れるドレン溝が形成されており、このドレン溝にはリブがドレンの流れる方向に沿って形成され、ドレン溝を２個のドレン流れ部に仕切っている場合には、位置決めに利用されるドレン案内部を、リブにより、ドレンの流れを妨げることなく、補強することができる。
【００１５】
ところで、保護カバーの導出用開口にはユニット間配管およびユニット間電線が配置されるが、この配管や配線が整然と配置されず、嵩張ることがある。この様な状態で、保護カバーを室外ユニット本体に取り付けると、保護カバーの導出用開口側が、正規の取付位置よりも浮き上がることがある。しかしながら、保護カバーを室外ユニットに取り付けるためのビス用の孔が、保護カバーの中央部よりも導出用開口側に偏って配置されている場合には、ビスにより、保護カバーの導出用開口側が室外ユニット本体側に締めつけられるので、保護カバーの浮き上がりを極力防止することができる。
【発明を実施するための最良の形態】
【００１６】
接続される室内ユニットの数に合わせて、室外ユニットの保護カバーの導出用開口の大きさを簡単に、かつ、見栄え良く変更するという目的を、ユニット間電線およびユニット間配管を外部へ導出する導出用開口を上下方向に縦長にし、下部に１個の室内ユニットを接続するためのユニット間配管およびユニット間電線を導き出す第１開口部を形成し、この第１開口部の上側には、別の各室内ユニットを接続するためのユニット間配管およびユニット間電線を導き出す各室内ユニット用開口部を配置し、この各室内ユニット用開口部に各々連結部により覆板を設け、この覆板の上辺および下辺を、室外ユニット本体から遠ざかる程下側となるように湾曲させることで実現した。
【実施例１】
【００１７】
次に、本発明における空気調和装置の一実施例について、図１ないし図９を用いて説明する。図１は本発明における空気調和装置の室外ユニットの前側から見た外観の斜視図である。図２は室外ユニットの内部の斜視図である。図３は空気調和装置の冷凍サイクルの概略の回路図である。図４は保護カバーを外した状態の室外ユニットの要部正面図である。図５は保護カバーを外した状態の室外ユニットの右側面図である。図６は室外ユニットの前方から見た保護カバーの図である。図７は室外ユニットの後側から見た保護カバーの図である。図８は図７の要部拡大図である。図９は室外ユニット側から見た保護カバーの図である。
【００１８】
図１において、空気調和装置の室外ユニット１の外装ケース２は略直方体形状をしているとともに、その一面である右側面には、詳細は後述する保護カバー３が取り付けられている。
【００１９】
図２および図３において、空気調和装置の室外ユニット１内には、平面図示略Ｌ字状の室外側熱交換器４、この室外側熱交換器４を空冷する送風機５が設けられている。そして、室外側熱交換器４は、コンプレッサ６などの機器とともに冷媒配管で接続されて、図３に図示する冷凍サイクルを構成している。コンプレッサ６の吐出側には、マフラー７を介して四方弁８が接続されている。この四方弁８は４個のポートを有しており、第１のポートには前述のコンプレッサ６の吐出側が、第２のポートには室外側熱交換器４が、第３のポートにはアキュムレータ１１，１２を介してコンプレッサ６の吸込側が、また、第４のポートには円筒状のヘッダー１６が接続されている。そして、冷媒流れ切換手段である四方弁８を切り換えることにより、冷凍サイクルの冷媒の流れが、実線の矢印で示す暖房モードと、破線の矢印で示す冷房モードとに変更される。
【００２０】
ヘッダー１６には、複数のサービスバルブ１７ａ〜１７ｄが接続されている。このサービスバルブ１７ａ〜１７ｄに各々、室内ユニット１８ａ〜１８ｄの室内側熱交換器（図示しない）の一端がユニット間配管１５で接続される。また、室内ユニット１８ａ〜１８ｄの室内側熱交換器の他端はユニット間配管２０で、室外ユニット１の別のサービスバルブ１９ａ〜１９ｄに接続される。このサービスバルブ１９ａ〜１９ｄは、膨張手段である電動膨張弁２１およびキャピラリーチューブ２２を介して室外側熱交換器４に接続されている。キャピラリーチューブ２２は一対並列に設けられている。さらに、コンプレッサ６の吐出側と四方弁８との間の冷媒回路はその中間部が、サービスバルブ１９ａ〜１９ｄとキャピラリーチューブ２２との間の冷媒回路と、除霜用電動開閉弁２３を介して接続されている。
【００２１】
この様に構成されている空気調和装置で、コンプレッサ６が稼働すると、コンプレッサ６は気体状の冷媒を圧縮し、高温高圧となった冷媒を冷媒流路切換手段である四方弁８に、マフラー７を介して吐出する。そして、図３の実線の矢印で冷媒の流れを示す暖房時には、四方弁８は、コンプレッサ６からの冷媒をヘッダー１６に流す。冷媒は、このヘッダー１６からサービスバルブ１７ａ〜１７ｄを介して各室内ユニット１８ａ〜１８ｄの室内側熱交換器に流れ、室内の空気と熱交換を行う。すなわち、室内の空気を温めるとともに、冷媒の温度は低下する。そして、この室内側熱交換器から出た冷媒は、サービスバルブ１９ａ〜１９ｄを介して電動膨張弁２１およびキャピラリーチューブ２２を流れて膨張し、さらに温度が低下する。ついで、冷媒は室外側熱交換器４を通って、外気と熱交換を行った後に、四方弁８およびアキュムレータ１１，１２を介してコンプレッサ６に戻っている。この様にして、室内ユニット１８ａ〜１８ｄの室内側熱交換器には、温かい冷媒（所謂、ホットガス）が流れる。
【００２２】
また、暖房運転における除霜運転時には、除霜用電動開閉弁２３が開き、コンプレッサ６からのホットガスの一部が、室外側熱交換器４に流れる。そして、室外側熱交換器４の温度を上昇させて、除霜が行われる。
【００２３】
一方、図３の破線の矢印で冷媒の流れを示す冷房時には、四方弁８は、コンプレッサ６からの冷媒を室外側熱交換器４に流す。そして、冷媒は、室外側熱交換器４において空冷される。この室外側熱交換器４から出た冷媒は、キャピラリーチューブ２２および電動膨張弁２１を通って、膨張し温度が低下する。この低温の冷媒は、サービスバルブ１９ａ〜１９ｄを介して各室内ユニット１８ａ〜１８ｄの室内側熱交換器に流れ、室内の空気と熱交換を行う。すなわち、室内の空気を低下させるとともに、冷媒の温度は上昇する。そして、室内側熱交換器から流れ出た冷媒は、サービスバルブ１７ａ〜１７ｄおよびヘッダー１６を介して四方弁８に流れる。そして、この四方弁８からアキュムレータ１１，１２を介してコンプレッサ６に戻っている。この様にして、室内ユニット１８ａ〜１８ｄの室内側熱交換器には、冷たい冷媒が流れる。
【００２４】
次に、ヘッダー１６への冷媒配管の接続構造について説明する。
図３において、四方弁８からの冷媒配管３１は、ヘッダー１６の底部に接続される。一方、サービスバルブ１７ａ〜１７ｄからの冷媒配管３２は、上下方向に間隔を有して、ヘッダー１６の側面に接続される。ヘッダー１６は円筒形をしているとともに、その軸が上下方向に向くように縦置きで配置される。また、ヘッダー１６の径は、接続される冷媒配管３１，３２の径よりも大きく、コンプレッサ６の脈動に起因する冷媒音を抑制することができる。
【００２５】
また、室外ユニット１と各室内ユニット１８ａ〜１８ｄとは、前述のようにユニット間配管１５，２０を介して接続されるとともに、室外ユニット１の電装品と室内ユニット１８ａ〜１８ｄの電装品とが、ユニット間電線４１（図５参照）を介して接続される。このユニット間電線４１は室外ユニット１側では、図５に図示するように、室外ユニット１の接続ターミナル４２に接続される。
【００２６】
室外ユニット１の外装ケース２の一面である右側面には、接続ターミナル４２にユニット間電線４１を接続するための電線接続用開口５１が形成され、この電線接続用開口５１の下側に、サービスバルブ１７ａ〜１７ｄ，１９ａ〜１９ｄにユニット間配管１５，２０を接続するための配管接続用開口５２が形成されている。この電線接続用開口５１および配管接続用開口５２の上側および両サイドに沿って略逆Ｕ字状に、突条５６が外装ケース２の面に形成されている。また、突条５６で囲まれた面に、係止フック用の孔５７が複数個（この実施例では４個）設けられている。
【００２７】
電線接続用開口５１および配管接続用開口５２の外側は、前述の保護カバー３が覆っている。保護カバー３は外側に膨出し、その内部にユニット間配管１５，２０およびユニット間電線４１が配設される内部空間６１が形成されている。また、保護カバー３の室外ユニット１の本体側は開口している。保護カバー３の開口側の縁部には、係止フック６２が一体に形成されている。また、保護カバー３の上端部には、電線接続用開口５１の上側の縁部に係合する係合溝部６４が形成されている。さらに、保護カバー３の上部には、室外ユニット１を持つ際の把手用の窪み６６が形成されている。
【００２８】
保護カバー３の底壁６８の中央部には、ドレン案内部７１が、室外ユニット１の本体側に向かって突出して形成されている。そして、保護カバー３の底壁６８の上面はこのドレン案内部７１に向かって下向きに傾斜している。保護カバー３のドレン案内部７１には、ドレンの流れるドレン溝が断面略Ｕ字状に形成されており、このドレン溝にはリブ７２がドレンの流れる方向に沿って形成され、ドレン溝を２個のドレン流れ部に（図９において左右に）仕切っている。室外ユニット１の本体には、ドレン案内部７１が嵌まり込む嵌合孔７３が設けられている。この嵌合孔７３はドレン案内部７１のサイズよりも上下方向に長く形成されており、ドレン案内部７１は嵌合孔７３に嵌まった状態で上下に少しスライド可能である。
【００２９】
保護カバー３の内部空間６１の側部には、ユニット間配管１５，２０およびユニット間電線４１を外部へ導出して室内ユニット１８ａ〜１８ｄに接続する導出用開口７６が形成されている。この導出用開口７６は上下方向に縦長で、下部には、室内ユニット１８ａ〜１８ｄの内の１個に接続されるユニット間配管１５，２０およびユニット間電線４１を導き出す第１開口部７６ａが形成されている。この第１開口部７６ａの上側には、他の室内ユニット１８ａ〜１８ｄに接続されるユニット間配管１５，２０およびユニット間電線４１を導き出す各室内ユニット用開口部７６ｂ〜７６ｄが配置され、この各室内ユニット用開口部７６ｂ〜７６ｄには各々この開口を塞ぐ覆板７８が設けられ、この覆板７８は保護カバー３の本体および他の覆板７８と間隔を有して配置されているとともに、覆板７８と保護カバー３の本体または他の覆板７８との間の隙間の一部が連結部８１で連結されて一体に形成されている。
【００３０】
各覆板７８の上辺および下辺は、室外ユニット１から遠ざかる程下側となるように湾曲している。また、覆板７８の両側辺は、略上下方向に直線状に延在している。そして、前記連結部８１は、覆板７８毎に覆板７８の周縁部に３個設けられ、第１の連結部８１は、保護カバー本体側の辺（図８において、左側の辺）の下端部と保護カバー３の本体とを連結し、第２の連結部８１は、上辺の保護カバー本体側の端部付近と上側の覆板７８または保護カバー３の本体とを連結し、かつ、第３の連結部８１は、上辺の室外ユニット１側の端部と上側の覆板７８または保護カバー３の本体とを連結する。
【００３１】
さらに、保護カバー３を室外ユニット１の本体に取り付けるためのビス用の孔８６は、保護カバー３の中央部よりも導出用開口７６側に偏って配置されている。また、保護カバー３のビス用の孔８６に対応して、外装ケース２や室外ユニット１の本体にはビス用の孔８７やビス孔８９が形成されている。保護カバー３の室外ユニット本体側の面における把手用の窪み６６配置部よりも上側には、上下方向に延在するリブ８８が複数本配列されている。
【００３２】
この様に構成されている空気調和装置において、室外ユニット１に室内ユニット１８ａ〜１８ｄを接続する際には、必ずしも４台の室内ユニット１８ａ〜１８ｄを全て接続する必要はなく、まず初めに、接続する室内ユニット１８ａ〜１８ｄの数量を決定する。
【００３３】
１台の室内ユニットを接続する際には、１組のユニット間配管１５，２０およびユニット間電線４１を介して、室外ユニット１と１台の室内ユニットとを接続する。ついで、保護カバー３の上端の係合溝部６４を電線接続用開口５１の上側の縁部に係合させるとともに、保護カバー３の係止フック６２およびドレン案内部７１を各々、外装ケース２の係止フック用の孔５７および室外ユニット本体の嵌合孔７３に嵌め込み、次いで、保護カバー３を少し上方に移動させて係止フック６２を係止フック用の孔５７に係止させる。その後、ビス（図示しない）を保護カバー３のビス用の孔８６、外装ケース２の孔８７に通して、室外ユニット本体のビス孔８９に螺合させる。この保護カバー３の取り付けの際には、１組のユニット間配管１５，２０およびユニット間電線４１は、保護カバー３の第１開口部７６ａを通って室外ユニット１から外側に導出される。
【００３４】
室内ユニットを複数台接続する際には、各室内ユニットを各々、ユニット間配管１５，２０およびユニット間電線４１を介して室外ユニットに接続する。そして、接続される室内ユニットの台数に応じて、覆板７８を取り外す。たとえば、接続される室内ユニットが２台の場合には、覆板７８を１枚、また、接続される室内ユニットが３台の場合には、覆板７８を２枚取り外す。覆板７８の取り外しは、各覆板７８の３個の連結部８１をニッパなどで切断する。連結部８１が取り外されると、その枚数に応じて各室内ユニット用開口部７６ｂ〜７６ｄが開放し、この各室内ユニット用開口部７６ｂ〜７６ｄに各々１組のユニット間配管１５，２０およびユニット間電線４１が配置される。それ以外の保護カバー３の室外ユニット本体への取り付け作業は、接続される室内ユニットが１台の場合と略同じである。
【００３５】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）室外ユニットに接続可能な室内ユニットの個数は、少なくとも２以上あればよく、適宜変更可能である。
（２）係止フック６２などの個数や構造などは適宜変更可能である。
【産業上の利用可能性】
【００３６】
ユニット間電線およびユニット間配管を外部へ導出する導出用開口を上下方向に縦長にし、下部に１個の室内ユニットを接続するためのユニット間配管およびユニット間電線を導き出す第１開口部を形成し、この第１開口部の上側には、別の各室内ユニットを接続するためのユニット間配管およびユニット間電線を導き出す各室内ユニット用開口部を配置し、この各室内ユニット用開口部に各々連結部により覆板を設け、この覆板の上辺および下辺を、室外ユニット本体から遠ざかる程下側となるように湾曲させているので、連結部を切断して覆板を取り外すことにより、簡単に導出用開口の開放部の大きさを変更することができる。したがって、室外ユニットに室内ユニットが複数接続可能なマルチ型の空気調和装置に適用することが最適である。
【図面の簡単な説明】
【００３７】
【図１】図１は本発明における空気調和装置の室外ユニットの前側から見た外観の斜視図である。
【図２】図２は室外ユニットの内部の斜視図である。
【図３】図３は空気調和装置の冷凍サイクルの概略の回路図である。
【図４】図４は保護カバーを外した状態の室外ユニットの要部正面図である。
【図５】図５は保護カバーを外した状態の室外ユニットの右側面図である。
【図６】図６は室外ユニットの前方から見た保護カバーの図である。
【図７】図７は室外ユニットの後側から見た保護カバーの図である。
【図８】図８は図７の要部拡大図である。
【図９】図９は室外ユニット側から見た保護カバーの図である。
【符号の説明】
【００３８】
１  室外ユニット
２  外装ケース
３  保護カバー
１５  ユニット間配管
１７ａ〜１７ｄ  サービスバルブ
１８ａ〜１８ｄ  室内ユニット
１９ａ〜１９ｄ  サービスバルブ
２０  ユニット間配管
４１  ユニット間電線
４２  接続ターミナル
５１  電線接続用開口
５２  配管接続用開口
６１  保護カバーの内部空間
７１  ドレン案内部
７２  リブ
７３  嵌合孔
７６  導出用開口
７６ａ  第１開口部
７６ｂ〜７６ｄ  各室内ユニット用開口部
７８  覆板
８１  連結部
８６  保護カバーのビス用の孔
【図１】
0004711790.tif 000002
【図２】
0004711790.tif 000003
【図３】
0004711790.tif 000004
【図４】
0004711790.tif 000005
【図５】
0004711790.tif 000006
【図６】
0004711790.tif 000007
【図７】
0004711790.tif 000008
【図８】
0004711790.tif 000009
【図９】
0004711790.tif 000010